(57)【要約】【課題】施術部位への照明を有利に実現することが出来る、新規な構造の貝台用照明器具及びかかる貝台用照明器具を備えた核入れ用貝台を提供することを、目的とする。【解決手段】棒状体からなる本体支持具４８を備えており、本体支持具４８の長手方向一方の端部において核入れ用貝台１０の湾曲ロッド４４に対して着脱可能に取り付けられる固定具５０を設けると共に、本体支持具４８の長手方向他方の端部において別体の光源６２を着脱可能に保持せしめる光源保持部５２を設けた。【選択図】図１
0003137141.tif 000002
【実用新案登録請求の範囲】
【請求項１】
相互に開閉可能とされた上下一対の貝受台で真珠貝を保持せしめるようになっており、所定の基台上に立設された支柱に対して該下側貝受台が水平回動軸回りで位置調節可能に取り付けられている一方、該水平回動軸を中心とする円弧形状をもって該下側貝受台から下方に向かって延び出した湾曲ロッドが設けられていると共に、該湾曲ロッドの適当な位置を該支柱に対してロック手段で固定することにより該下側貝受台の該水平回動軸回りの回動角度が固定的に設定可能とされた真珠貝の核入れ用貝台に対して、別体構造とされて着脱可能に装着されることにより該上下一対の貝受台で保持された該真珠貝の内部を照明する照明用光源を支持する貝台用照明器具であって、
棒状体からなる本体支持具を備えており、該本体支持具の長手方向一方の端部において前記核入れ用貝台の前記湾曲ロッドに対して着脱可能に取り付けられる固定具を設けると共に、該本体支持具の長手方向他方の端部において別体の光源を着脱可能に保持せしめる光源保持部を設けたことを特徴とする貝台用照明器具。
【請求項２】
付勢手段による付勢力で締付力が及ぼされて前記湾曲ロッドに対して挟持固定可能とされると共に、手操作によって該付勢手段による締付力を解除させて該湾曲ロッドから取り外し可能とされた挟持固定具によって前記固定具が構成されている請求項１に記載の貝台用照明器具。
【請求項３】
前記本体支持具が可撓性を有している請求項１又は２に記載の貝台用照明器具。
【請求項４】
前記本体支持具が、外力が及ぼされた際に変形後初期形状に復元する弾性を有している請求項１乃至３の何れか１項に記載の貝台用照明器具。
【請求項５】
前記光源保持部が、前記光源が組み付けられる装着孔を備えている請求項１乃至４の何れか１項に記載の貝台用照明器具。
【請求項６】
前記本体支持具の一方の端部がらせん状に巻き回された巻回部分とされており、該巻回部分によって前記光源保持部が構成されている請求項５に記載の貝台用照明器具。
【請求項７】
可撓性を有するリード線の一端側において、所定の電源に対して着脱可能とされた通電端子が設けられている一方、該リード線の他端側に、光源が設けられた照明光源ユニットを採用し、該照明光源ユニットにおける該光源が前記光源保持部によって保持せしめられる請求項１乃至６の何れか１項に記載の貝台用照明器具。
【請求項８】
前記リード線への前記光源の取付部位において、通電線の接続部分が防水構造とされていると共に、該リード線が前記本体支持具によって支持されている請求項７に記載の貝台用照明器具。
【請求項９】
前記光源として指向性を有するものを採用した請求項１乃至８の何れか１項に記載の貝台用照明器具。
【請求項１０】
相互に開閉可能とされた上下一対の貝受台で真珠貝を保持せしめるようになっており、所定の基台上に立設された支柱に対して該下側貝受台が水平回動軸回りで位置調節可能に取り付けられている一方、該水平回動軸を中心とする円弧形状をもって該下側貝受台から下方に向かって延び出した湾曲ロッドが設けられていると共に、該湾曲ロッドの適当な位置を該支柱に対してロック手段で固定することにより該下側貝受台の該水平回動軸回りの回動角度が固定的に設定可能とされた真珠貝の核入れ用貝台において、
請求項１乃至９の何れか１項に記載の貝台用照明器具における前記固定具が前記湾曲ロッドに対して着脱可能に取り付けられることを特徴とする真珠貝の核入れ用貝台。
【考案の詳細な説明】
【技術分野】
【０００１】
本考案は、養殖真珠の挿核施術の際に真珠貝を保持する核入れ用貝台に取り付けられて、開口器で開口状態とされた真珠貝の内部を照明する貝台用照明器具及びかかる貝台用照明器具を備えた核入れ用貝台に関するものである。
【背景技術】
【０００２】
養殖真珠を得るためには、真珠の核をアコヤ貝等の真珠貝に埋め込む作業（所謂、挿核施術）を行う必要がある。かかる挿核施術は、対象となる真珠貝や施術者の好み等によって多少の差異はあるが、概略的には、淡水二枚貝の貝殻を球形に削って形成した核と、真珠貝と同種の貝から取り出した外套膜切片（ピース）を用意し、開口器を用いて開口状態とした真珠貝を核入れ用貝台に取り付けて、真珠貝の生殖巣をメスで切開した後、ピースと核を真珠貝の生殖巣に埋め込むことによって行われる。
【０００３】
すなわち、真珠貝にとって、挿核施術というのは、体内に異物を埋め込む外科手術に相当するものであるから、挿核施術が行われることは、真珠貝にとって、大きな負担となる。それ故、状態の良くない真珠貝を用いたり、他の部位を傷つけてしまった場合には、真珠貝をへい死させてしまうおそれがある。また、挿核施術の良し悪しは、真珠の傷や色目等の品質にも大きく影響する。それ故、挿核施術は、正確且つ速やかに行われる必要があり、そのためには、施術者が施術部位を明確に視認出来ることが重要となる。
【０００４】
そこにおいて、真珠貝への負担を抑えるためには、真珠貝を大きく開口させることは避けるべきである。しかしながら、貝の殻は殆ど透光性がないことから、真珠貝を大きく開口させない状態では、貝の内部は非常に暗い。
【０００５】
勿論、挿核施術の際には照明も用いられているが、従来の挿核施術において真珠貝の内部を照明する方法としては、単に作業場の室内照明を用いるか、せいぜい貝台の近くに電気スタンドを設置して、上方、斜方、後方等から照明するのみであった。しかしながら、このような照明方法では、光源と真珠貝との間に施術者の手や施術器具等が位置することによって、真珠貝の施術部位に影を落としてしまい、施術部位を有効に照明することが出来なかった。
【０００６】
それ故、施術部位を十分に明瞭に見ることが出来ず、挿核施術が難しくなって、施術者の疲れも大きかった。また、近年では施術者の高齢化が進んでおり、施術部位が暗く見づらいという問題がより顕著なものとなっていた。加えて、施術部位の肉の状態や、卵の状態等が視認し難いことから、真珠貝の善し悪しを判断することが困難となり、高品質な養殖真珠を効率的に生産することが難しいという問題もあった。
【０００７】
そこで、本出願人は、先に、特許文献１において、開口器本体にＬＥＤ光源を取り付けた二枚貝用開口器を提案した。かかる特許文献１に記載の二枚貝用開口器においては、開口器本体に光源が設けられていることから、施術部位に近い位置から施術部位を照明することが可能になり、光源と施術部位の間に施術者の手等が存在することを有利に回避することが可能となる。その結果、施術者の手が施術部位に影を落とすことが防止されて、施術部位を明るく照らすことが可能となる。
【０００８】
しかしながら、特許文献１に記載の二枚貝用開口器においては、開口器本体に光源が設けられていることから、光源を移動させるためには、開口器本体を移動させなければならず、真珠貝を開口状態にした後での光源の位置調整が面倒であるという問題があった。
【０００９】
なお、特許文献２や特許文献３には、貝台に取り付けられて使用される照明器具が開示されている。しかしながら、特許文献２や特許文献３に記載の照明器具においては、光ファイバーが用いられていることから、光ファイバーを折損しないように注意して取り扱わなければならないという問題があった。
【００１０】
【特許文献１】実用新案登録第３１１６５２９号公報
【特許文献２】実開平３−５１４０３号公報
【特許文献３】実開平３−８８２１６号公報
【考案の開示】
【考案が解決しようとする課題】
【００１１】
ここにおいて、本考案は、上述の如き事情を背景として為されたものであって、その解決課題とするところは、施術部位への照明を有利に実現することが出来る、新規な構造の貝台用照明器具及びかかる貝台用照明器具を備えた核入れ用貝台を提供することにある。
【課題を解決するための手段】
【００１２】
以下、このような課題を解決するために為された本考案の態様を記載する。なお、以下に記載の各態様において採用される構成要素は、可能な限り任意の組み合わせで採用可能である。
【００１３】
本考案は、相互に開閉可能とされた上下一対の貝受台で真珠貝を保持せしめるようになっており、所定の基台上に立設された支柱に対して下側貝受台が水平回動軸回りで位置調節可能に取り付けられている一方、水平回動軸を中心とする円弧形状をもって下側貝受台から下方に向かって延び出した湾曲ロッドが設けられていると共に、湾曲ロッドの適当な位置を支柱に対してロック手段で固定することにより下側貝受台の水平回動軸回りの回動角度が固定的に設定可能とされた真珠貝の核入れ用貝台に対して、別体構造とされて着脱可能に装着されることにより上下一対の貝受台で保持された真珠貝の内部を照明する照明用光源を支持する貝台用照明器具であって、棒状体からなる本体支持具を備えており、本体支持具の長手方向一方の端部において核入れ用貝台の湾曲ロッドに対して着脱可能に取り付けられる固定具を設けると共に、本体支持具の長手方向他方の端部において別体の光源を着脱可能に保持せしめる光源保持部を設けたことを、特徴とする。
【００１４】
このような本考案に従う構造とされた貝台用照明器具においては、固定具が核入れ用貝台の湾曲ロッドに対して着脱可能に取り付けられるようになっていることから、真珠貝が上下一対の貝受台によって保持された後であっても、湾曲ロッドに対する固定具の取付位置や取付方向，取付角度等を変更することによって、上下一対の貝受台で保持された真珠貝と光源保持部によって保持された光源との相対的な位置関係を容易に変更することが可能となる。
【００１５】
これにより、真珠貝が上下一対の貝受台で保持された後であっても、光源保持部によって保持された光源と施術部位の間に施術者の手等が存在しないようにすることを、極めて簡単な作業で、実現することが可能となる。
【００１６】
従って、本考案の貝台用照明器具においては、施術部位への照明を有利に実現することが可能となる。
【００１７】
特に本考案においては、固定具が湾曲ロッドに取り付けられるようになっていることから、湾曲ロッドが延びる方向に固定具を移動させたり、湾曲ロッドの周方向に固定具を回動させたりすることが可能となる。これにより、湾曲ロッドに対する固定具の取付位置や取付方向を変更することが有利に実現され得る。
【００１８】
また、固定具を湾曲ロッドに取り付けた状態で、真珠貝を交換できるようになっていることから、真珠貝を交換した後であっても、光源保持部で保持された光源による照明位置を維持することが可能となる。
【００１９】
さらに、核入れ用貝台に対して固定具が取り付けられる特別な部材を別途設ける必要がない。
【００２０】
更にまた、湾曲ロッドが下側貝受台から下方に向かって延び出していることから、挿核施術の際に貝台用照明器具が邪魔になり難いようにすることが可能となる。
【００２１】
そこにおいて、本考案では、付勢手段による付勢力で締付力が及ぼされて湾曲ロッドに対して挟持固定可能とされると共に、手操作によって付勢手段による締付力を解除させて湾曲ロッドから取り外し可能とされた挟持固定具によって、固定具が構成されていることが望ましい。これにより、固定具の湾曲ロッドに対する着脱を容易に行うことが可能となる。なお、挟持固定具としては、例えば、一対の挟持片が支軸回りに回動可能に組み付けられていると共に、支軸に巻き回された巻ばねの付勢力によって一対の挟持片に締付力が及ぼされる構造等が採用され得る。
【００２２】
また、本考案においては、本体支持具が可撓性を有していることが望ましい。これにより、固定具の取付位置等を変更しなくても、本体支持具を適当に曲げることにより、上下一対の貝受台で保持された真珠貝と光源保持部によって保持された光源との相対的な位置関係を一層容易に変更することが可能となる。
【００２３】
そこにおいて、可撓性を有する本体支持具としては、例えば、本体支持具そのものを可撓性を有する材料で形成したり、或いは、複数の構成部材をボールジョイントで連結した構造とすることによって、実現される。
【００２４】
また、本考案においては、本体支持具が、外力が及ぼされた際に変形した後、初期形状に復元する弾性を有しているものであっても良い。なお、このような特性を有する本体支持具は、ばね鋼等で形成することによって実現される。
【００２５】
また、本考案においては、光源保持部が、光源が組み付けられる装着孔を備えていることが望ましい。これにより、光源が発する光に指向性をもたせることが可能となる。その結果、施術部位を明瞭に照らすことが可能となる。また、光源が発する光が側方へ漏れることを有利に回避することが可能となる。その結果、施術者が挿核施術の際に光源が発する光を眩しいと感じ難いようにすることが可能となる。
【００２６】
そこにおいて、光源が組み付けられる装着孔を備えた光源保持部を採用する場合、本体支持具が線状材によって構成されていると共に、線状材の一方の端部がらせん状に巻き回された巻回部分とされており、巻回部分によって光源保持部が構成されていることが望ましい。これにより、簡単な構造で光源保持部を形成することが可能となる。また、光源保持部に弾性をもたせることが可能となり、その結果、光源の着脱を有利に実現することが可能となる。なお、線状材は、金属で形成されていても良いし、ＡＢＳ等の合成樹脂で形成されていても良い。
【００２７】
また、本考案においては、可撓性を有するリード線の一端側において、所定の電源に対して着脱可能とされた通電端子が設けられている一方、リード線の他端側に、光源が設けられた照明光源ユニットを採用し、照明光源ユニットにおける光源が光源保持部によって保持せしめられることが望ましい。
【００２８】
すなわち、光源に電力を供給するための電源としては、照明光源ユニットに電池を装備させて、光源に直接に電力を供給することも考えられるが、このような構造では、照明光源ユニット、延いては、貝台用照明器具の全体サイズの大型化を招いてしまう。また、真珠貝はもともと水を多く含んでいるものであるし、挿核施術の作業場も水に濡れていることが多い。それ故、照明光源ユニットに電源を装備させることは、その取り扱いが面倒になるばかりでなく、絶縁性の確保等のために、構造も複雑となることから、好ましいことではない。
【００２９】
そこにおいて、上述の如き構成を採用する場合、光源と電源との間がリード線によって接続されていると共に、光源とリード線との接続部位が防水構造とされていることが望ましい。これにより、照明光源ユニットと電源を別部材として構成することによって、照明光源ユニット、延いては、貝台用照明器具の全体サイズを小さくすることが可能になると共に、貝台用照明器具と電源を離隔位置せしめることにより、貝台用照明器具に付着した水が電源まで伝わって電源の故障を招くことも有利に回避することが可能となる。また、このような防水構造を採用したことによって、光源やリード線を取り付けたままの状態で貝台用照明器具の全体を洗浄すること等も可能となる。
【００３０】
そして、特に上述の如き構成を採用した場合には、リード線として可撓性を有するリード線が用いられていることから、可撓性に乏しい光ファイバのように折損を気にすることなく、容易に取り扱うことが可能となる。
【００３１】
また、上述の如き構成を採用した場合には、通電端子が電源に対して着脱可能とされていることから、洗浄等の際に、貝台用照明器具を電源から取り外して、より容易に取り扱うことが可能となる。
【００３２】
更にまた、上述の如き構成を採用する場合には、リード線が本体支持具によって支持されていることが望ましい。これにより、リード線が作業者の邪魔にならないようにすることが可能となる。
【００３３】
なお、所定の電源は、送電線に接続される変圧器と整流器を備えており、通電端子が接続されることによって光源に直流電力を給電する給電端子が設けられている給電ユニットを有するものであっても良いし、或いは、電池を備えており、通電端子が接続されることによって光源に直流電力を給電する給電端子が設けられている電池ユニットを有するものであっても良い。
【００３４】
そこにおいて、前者の場合には、送電線からの電力を光源に供給する給電ユニットを備えたことによって、光源に対して安定した電力の供給を行うことが可能となる。なお、このような給電ユニットとしては、家庭用電源からの交流電源を直流に変換すると共に、光源が使用する電圧にまで低減するＡＣ−ＤＣアダプタ等が好適に採用される。これにより、通常の家庭用電源のコンセントを用いて電力を得ることが可能となる。
【００３５】
また、後者の場合には、電源として電池を備えていることから、例えば、送電線が届いていない離島等においても、貝台用照明器具を使用することが可能となる。更にまた、電源のサイズをコンパクトに抑えることが可能になると共に、持ち運びを容易に行うことが可能となる。なお、電池は、乾電池のみならず、充電池や太陽電池等であっても良い。また、前者の場合の予備電源として、電池ユニットを設けるようにしても良い。
【００３６】
また、上述の如き構成を採用した場合、光源は発光ダイオード（ＬＥＤ）であることが望ましい。これにより、光源のサイズを小さくすることが可能となり、施術者が挿核施術の際に光源の存在を邪魔に感じ難いようにすることが可能となる。また、発光ダイオードは、電力消費量が少ないことから、電力を供給するリード線として、より細いリード線を採用することが可能となる。その結果、より高い可撓性を得ることが可能となる。なお、発光ダイオードの他に、無機ＥＬ素子や有機ＥＬ素子を光源として採用することも、勿論可能である。
【００３７】
更にまた、上述の如き構成を採用する場合には、光源として指向性を有するものを採用することが望ましい。これにより、真珠貝の施術部位をより有効に照明することが可能となる。
【００３８】
また、本考案は、相互に開閉可能とされた上下一対の貝受台で真珠貝を保持せしめるようになっており、所定の基台上に立設された支柱に対して下側貝受台が水平回動軸回りで位置調節可能に取り付けられている一方、水平回動軸を中心とする円弧形状をもって下側貝受台から下方に向かって延び出した湾曲ロッドが設けられていると共に、湾曲ロッドの適当な位置を支柱に対してロック手段で固定することにより下側貝受台の水平回動軸回りの回動角度が固定的に設定可能とされた真珠貝の核入れ用貝台であって、前述の如き構造とされた貝台用照明器具における固定具が湾曲ロッドに対して着脱可能に取り付けられるようにされていることも、特徴とする。
【００３９】
このような本考案に従う構造とされた核入れ用貝台においては、前述の如き構造とされた貝台用照明器具の固定具が湾曲ロッドに対して着脱可能に取り付けられるようになっていることから、上下一対の貝受台で保持された真珠貝と光源保持部によって保持された光源との相対的な位置関係を容易に変更することが可能となり、施術部位への照明を有利に実現することが可能となる。
【００４０】
特に本考案の核入れ用貝台においては、貝台用照明器具の固定具が湾曲ロッドに取り付けられるようになっていることから、貝台用照明器具の固定具を取り付けるための特別な部材を核入れ用貝台に別途設ける必要がなくなり、核入れ用貝台をコンパクトにすることが可能となる。
【考案を実施するための最良の形態】
【００４１】
以下、本考案を更に具体的に明らかにするために、本考案の実施形態について、図面を参照しつつ、詳細に説明する。
【００４２】
図１乃至３には、本考案の一実施形態としての核入れ用貝台１０が示されている。この核入れ用貝台１０は、基台１６に立設された支柱１８の上端において、従来から公知の開口器２０で開口状態とされた真珠貝２２を保持するホルダ２４が設けられた構造とされている。なお、図面上では明示されていないが、基台１６は、作業台や作業机等に対してネジ等で固定されるようになっている。
【００４３】
そこにおいて、本実施形態の支柱１８は、外筒２６に対して内筒２８が挿通配置された構造とされており、外筒２６に形成されたネジ穴に螺挿された位置決めネジ３０の先端が内筒２８の外周面に押し当てられることによって、外筒２６と内筒２８が位置決め固定されるようになっている。そして、外筒２６に対する内筒２８の挿入量を調節して位置決めネジ３０を締めることにより、支柱１８の高さ寸法を調節できるようになっている。
【００４４】
また、ホルダ２４は、上下一対の貝受台３２，３４が支軸３６回りに回動可能に組み付けられた構造とされており、それによって、上下一対の貝受台３２，３４は相互に開閉可能とされている。更にまた、上下一対の貝受台３２，３４には、支軸３６に巻き回されて組み付けられた巻ばね３８の付勢力が閉方向に常時及ぼされるようになっている。これにより、開口器２０で開口状態とされた真珠貝２２が上下一対の貝受台３２，３４で挟圧保持されるようになっている。
【００４５】
このような構造とされたホルダ２４は、支柱１８を構成する内筒２８の上端において内筒２８の軸直角方向に突出するように設けられた水平回動軸４２に対して、下側貝受台３４が回動可能に組み付けられるようになっている。即ち、下側貝受台３４は、水平回動軸４２回りで位置調節可能な状態で、支柱１８に取り付けられているのである。
【００４６】
また、下側貝受台３４には、水平回動軸４２を中心とする円弧形状をもって下面から下方に向かって延び出す湾曲ロッド４４が設けられている。そこにおいて、本実施形態の湾曲ロッド４４は、内筒２８に形成された挿通孔に対して、突出端側から挿通位置せしめられるようになっている。そして、内筒２８に形成されたネジ穴に螺挿されている位置決めネジ４６の突出端が湾曲ロッド４４の外周面に押し当てられることにより、湾曲ロッド４４が位置決め固定されるようになっている。その結果、湾曲ロッド４４に連結された下側貝受台３４の水平回動軸４２回りの回動角度が固定的に設定可能とされている。即ち、本実施形態では、位置決めネジ４６によってロック手段が構成されているのである。
【００４７】
このような構造とされた核入れ用貝台１０に対して、別体構造とされた貝台用照明器具１４が取り付けられている。この貝台用照明器具１４は、本体支持具としてのワイヤ４８を備えており、かかるワイヤ４８の長手方向一方の端部に固定具としての挟持固定具５０が設けられている一方、ワイヤ４８の長手方向他方の端部に光源保持部５２が設けられた構造とされている。
【００４８】
より詳細には、本実施形態のワイヤ４８は可撓性を有している。また、本実施形態の挟持固定具５０は、図４にも示されているように、一対の挟持片５４，５４が支軸５６回りで回動可能に組み付けられていると共に、これら一対の挟持片５４，５４に対して、支軸５６に巻き回されて組み付けられた付勢手段としての巻ばね５８の付勢力が閉方向に常時及ぼされる構造とされており、それによって、一対の挟持片５４，５４の長手方向一端側が巻ばね５８の付勢力によって圧接状態とされている。
【００４９】
そして、このような構造とされた挟持固定具５０に対して、ワイヤ４８の長手方向一方の端部がネジ止めされており、それによって、ワイヤ４８の長手方向一方の端部に挟持固定具５０が設けられている。
【００５０】
また、本実施形態の光源保持部５２は、ワイヤ４８の長手方向他端部分がらせん状に巻き回された巻回部分によって構成されており、図５にも示されているように、全体として装着孔６０を備えた筒形状を呈している。
【００５１】
そして、このような構造とされた光源保持部５２の装着孔６０に対して光源としてのＬＥＤ６２が着脱可能に組み付けられている。そこにおいて、本実施形態のＬＥＤ６２は、指向性を有するものであり、その光軸が、ＬＥＤ６２の接続端子６４，６４（図６参照）が延び出す方向と反対の方向、即ち、封止樹脂が突出する方向に延びるようにされている。なお、ＬＥＤ６２の発光色は、特に限定されるものではなく、白色，赤色，蛍光色，その他の適当な色が適宜に採用可能である。例えば、白色を用いることによって目の疲れが軽減され得るし、蛍光色を用いることによって真珠貝２２の内部が有効に照明され得る。
【００５２】
また、ＬＥＤ６２は、図６及び図７に示されているように、その接続端子６４，６４が可撓性を有するリード線６６の内部に挿通された通電線６８，６８に接続されることで物理的に接続されると共に、電気的に接続されて、電力が供給されるようになっている。
【００５３】
そこにおいて、本実施形態では、ＬＥＤ６２の接続端子６４，６４とリード線６６の通電線６８，６８との接続部位は、電気絶縁性の熱収縮チューブとしてのゴムチューブ７０，７０が外挿されて熱収縮せしめられることによって被覆されている。更に、ＬＥＤ６２の底面が、ゴムチューブ７０，７０の端部と共に、電気絶縁性のシール材としてのシリコーン７２によって被覆されている。これにより、本実施形態においては、ＬＥＤ６２の接続端子６４，６４との接続部位を含むリード線６６の通電線６８の全体がゴムチューブ７０，７０及びシリコーン７２によって被覆されて、外部に一切露出しないようにされており、ＬＥＤ６２とリード線６６との取付部位において通電線６８，６８の接続部位が防水構造とされている。
【００５４】
また、リード線６６の他方の端部には、通電端子としての電源プラグ７４が設けられている。この電源プラグ７４は、リード線６６が通電金具としての雄金具７６に接続されると共に、かかるリード線６６と雄金具７６の接続部分が樹脂材料７８でくるんで成形された構造とされている。即ち、本実施形態では、リード線６６と雄金具７６との接続部分についても防水構造とされているのである。なお、このような電源プラグ７４は、インサート成形等によって、容易に得ることが出来る。
【００５５】
このようにして、ＬＥＤ６２と電源プラグ７４がリード線６６を介して物理的及び電気的に接続されている。そして、電源プラグ７４が電源としての給電ユニット８０に接続されることによって、ＬＥＤ６２に対する給電が行われるようになっている。
【００５６】
給電ユニット８０は、詳細な図示は省略するが、本実施形態では、内部に従来公知の変圧器と整流器を備える一方、これら変圧器及び整流器と電気的に接続されたコンセントプラグ８２が外部に延び出している。また、給電ユニット８０には、貝台用照明器具１４の電源プラグ７４を接続するための給電端子としての電源ジャック８４や電源ジャック８４への通電および遮断を切り換えるための電源スイッチ８６が設けられている。
【００５７】
そして、コンセントプラグ８２が家庭用電源であるコンセント８８に挿し込まれることによって、給電ユニット８０に内蔵された変圧器と整流器が、送電線に接続されるようになっており、これら変圧器と整流器によって、家庭用の交流電力を、ＬＥＤ６２を使用するのに適した電圧の直流電力に変換するようにされている。
【００５８】
このような構造とされた給電ユニット８０の電源ジャック８４に対して、貝台用照明器具１４における電源プラグ７４の雄金具７６が挿し込まれて、電源スイッチ８６が操作されることにより、ＬＥＤ６２に対する給電が行われるようになっている。そこにおいて、本実施形態の給電ユニット８０は、家庭用電源を用いていることから、安定した電力の供給を行うことが可能となって、電池のように消耗を気にすることもなく、電池交換の手間等も省くことが出来るのである。
【００５９】
なお、上述の説明から明らかなように、本実施形態では、ＬＥＤ６２とリード線６６と電源プラグ７４を含んで照明光源ユニットが構成されている。
【００６０】
このような構造とされた貝台用照明器具１４は、挟持固定具５０を構成する一対の挟持片５４，５４の長手方向他端側を互いに接近せしめるように手で操作して、一対の挟持片５４，５４の長手方向一端側を巻ばね５８の付勢力に抗して離隔せしめた状態で、一対の挟持片５４，５４の長手方向一端部分の間に湾曲ロッド４４を位置せしめる。そして、この状態で、手操作を止めて、一対の挟持片５４，５４の長手方向一端側を巻ばね５８の付勢力で接近せしめることにより、巻ばね５８の付勢力に起因する締付力が湾曲ロッド４４に及ぼされることとなる。その結果、挟持固定具５０が湾曲ロッド４４に対して挟持固定される。
【００６１】
そして、上述の如く、挟持固定具５０が湾曲ロッド４４に固定されると、ワイヤ４８がホルダ２４の下方から施術者が位置する前方側へ延び出すこととなり、ホルダ２４によって保持された真珠貝２２の内部を前方側から照らすことが出来るようになる。
【００６２】
なお、真珠貝２２の内部を巧く照らすことが出来ない場合には、一対の挟持片５４，５４を手操作して、巻ばね５８の付勢力に起因する締付力が湾曲ロッド４４に及ぼされないようにすることにより、挟持固定具５０の湾曲ロッド４４に対する取付位置や取付方向，取付角度等を変更することが出来る。
【００６３】
また、一対の挟持片５４，５４を手操作することにより、一対の挟持片５４，５４の長手方向一端側を巻ばね５８の付勢力に抗して離隔せしめて、巻ばね５８の付勢力に起因する締付力が湾曲ロッド４４に及ぼされない状態にして、一対の挟持片５４，５４の間に湾曲ロッド４４が位置しないようにすれば、挟持固定具５０を湾曲ロッド４４から取り外すことが出来る。
【００６４】
そこにおいて、上述の如き構造とされた貝台用照明器具１４を備える核入れ用貝台１０においては、挟持固定具５０が湾曲ロッド４４を挟むことによって取り付けられるようになっていることから、真珠貝２２をホルダ２４にセットした後であっても、湾曲ロッド４４に対する挟持固定具５０の取付位置や取付角度，取付方向等を調節することにより、ＬＥＤ６２と真珠貝２２との相対的な位置関係を変更することが可能となる。
【００６５】
従って、上述の如き構造とされた貝台用照明器具１４を備えた核入れ用貝台１０においては、真珠貝２２の施術部位を照明することが有利に実現され得る。
【００６６】
特に本実施形態では、ワイヤ４８が可撓性を有していることから、挟持固定具５０の取付位置等を変更せず、ワイヤ４８を適当に曲げることにより、ＬＥＤ６２と真珠貝２２との相対的な位置関係を変更することが可能となる。従って、本実施形態の核入れ用貝台１０においては、真珠貝２２の施術部位を照明することが一層有利に実現され得る。
【００６７】
また、本実施形態では、光源としてＬＥＤ６２を採用したことにより、貝台用照明器具１４の全体サイズを小さくすることが可能となり、施術者がＬＥＤ６２の存在を邪魔に感じ難いようにすることが可能となる。更にまた、光源の軽量化を図ることも可能となり、その結果、より高い可撓性を有するワイヤ４８を採用することが可能となる。また、ＬＥＤ６２は消費電力が少ないことから、より細いリード線６６を採用することが可能となる。その結果、より高い可撓性を得ることが可能となる。
【００６８】
さらに、本実施形態では、ＬＥＤ６２が光源保持部５２の装着孔６０に組み付けられていることから、ＬＥＤ６２の発する光が側方に漏れ難くすることが可能となる。その結果、施術者がＬＥＤ６２の発する光を眩しいと感じ難くすることが可能となる。
【００６９】
特に本実施形態では、光源保持部５２がワイヤ６６の他端側をらせん状に巻き回すことによって構成されていることから、光源保持部５２に弾性をもたせることが容易に可能となり、その結果、光源保持部５２に対するＬＥＤ６２の着脱を有利に実現することが可能となる。
【００７０】
また、本実施形態では、ＬＥＤ６２とリード線６６との取付部位がゴムチューブ７０，７０やシリコーン７２を用いた防水構造とされている。これにより、水に濡れやすいことからＬＥＤ６２等の電子部品の配置が困難であった真珠貝２２に近接した位置にＬＥＤ６２を配置することが可能となって、有効な照明効果を発揮することが可能とされるのである。
【００７１】
そこにおいて、本実施形態では、ＬＥＤ６２とリード線６６との取付部位と共に、リード線６６と電源プラグ７４における雄金具７６との接続部分も防水構造とされていることによって、照明光源ユニットの全体が防水構造とされている。これにより、電源プラグ７４を給電ユニット８０から取り外して、照明光源ユニット、延いては、貝台用照明器具１４を洗浄することが可能となる。
【００７２】
また、本実施形態では、ＬＥＤ６２が指向性を有することから、施術部位を明るく照らすことが有利に実現され得ることとなる。
【００７３】
さらに、本実施形態では、給電ユニット８０に電源スイッチ８６が設けられていることから、必要な場合にのみＬＥＤ６２を点灯させることも可能となる。
【００７４】
以上、本考案の一実施形態について詳述してきたが、これはあくまでも例示であって、本考案は、かかる実施形態における具体的な記載によって、何等、限定的に解釈されるものではない。
【００７５】
例えば、図８に示されているように、軸方向中間部分にテーパ９０が形成された筒体形状を呈する光源保持部９２を採用することも可能である。そして、このような光源保持部９２を採用する場合には、光源保持部９２がリフレクタとして機能することとなり、ＬＥＤ６２が発する光に指向性をもたせることが可能となる。なお、理解を容易にするために、図８において、前記実施形態と同様な構造とされた部材及び部位については、図中に、前記実施形態と同一の符号を付してある。
【００７６】
また、光源保持部は、一対の板状部材が支軸回りに回動可能に組み付けられており、これら一対の板状部材に対して支軸に巻き付けられた巻ばねの付勢力が常時閉方向に及ぼされている構造であっても良い。
【００７７】
更にまた、前記第一実施形態において、本体支持具は、外力が及ぼされた際に変形した後、初期形状に復元する弾性を有していても良い。
【００７８】
また、前記第一実施形態において、図９に示されているように、リード線６６が、ワイヤ４８に外挿配置された取付チューブ９４によって、ワイヤ４８に沿って支持されていても良い。そこにおいて、取付チューブ９４は、例えば、熱収縮チューブで構成されていても良いし、或いは、テープを螺旋状に巻き付けたものによって構成されていても良い。
【００７９】
さらに、電源は、送電線に接続されるものに限定されない。例えば、電池ユニットを電源として用いることも可能である。この場合、電池ユニットは、電池を備えると共に、給電端子としての電源ジャック及び電源スイッチを備える。そして、電源ジャックに電源プラグを挿し込んで、スイッチを操作することによって、ＬＥＤを点灯及び消灯せしめることが可能となる。このような電池ユニットによれば、送電線が届いていない離島等においても、本考案の貝台用照明器具や核入れ用貝台を用いることが出来ると共に、持ち運びを容易にすることが出来る。なお、電池としては、市販の乾電池や充電池が好適に採用される。また、電池ユニットの更に異なる態様として、電池の代わりに太陽電池を用いること等も可能である。
【００８０】
更にまた、電源の更に異なる態様としては、例えば、一般の電気製品に広く用いられて、家庭用のコンセントに挿し込まれる従来公知のＡＣ−ＤＣアダプタのジャックを給電端子として貝台用照明器具の電源プラグに接続すること等も可能である。
【００８１】
また、前記実施形態においては、通電端子としては、電源プラグと電源ジャックとの接続構造とされていたが、その他の態様としては、例えば、ワニクリップやバナナプラグ，プッシュターミナル，スクリューターミナル，コネクタ接続式など、従来から公知の簡易的な各種通電線の端部接続構造を採用すること等も可能であるし、更には、単に通電線の露出部分を半田で固めるなどでも良い。
【００８２】
さらに、ＬＥＤの取付部位や雄金具の取付部位における防水構造としては、各種の態様が採用可能である。例えば、前記実施形態における電源プラグは、必ずしもインサート成形によって一体的に形成する必要はなく、雄金具とリード線との接続部分を、ＬＥＤの接続部位と同様に、ゴムチューブやシリコーンで被覆するなどしても良い。また、ＬＥＤの取付部位を、前記実施形態における電源プラグと同様のインサート成形を用いて一体的に形成する等しても良い。
【００８３】
また、前記実施形態において、ワイヤ４８の長手方向中間部分に湾曲部やループ等をつけて、ワイヤ４８の変形容易性を向上させたり、ワイヤ４８の強度や耐久性等の調整をするようにしても良い。
【００８４】
その他、一々列挙はしないが、本考案は、当業者の知識に基づいて種々なる変更，修正，改良等を加えた態様において実施され得るものであり、また、そのような実施態様が本考案の趣旨を逸脱しない限り、何れも、本考案の範囲内に含まれるものであることは、言うまでもない。
【図面の簡単な説明】
【００８５】
【図１】本発明の一実施形態としての核入れ用貝台を示す斜視図。
【図２】同核入れ用貝台の右側面図。
【図３】同核入れ用貝台の平面図。
【図４】貝台用照明器具を構成する挟持固定具の断面図。
【図５】貝台用照明器具を構成する光源保持部の断面図。
【図６】ＬＥＤとリード線の通電線との接続部分を示す説明図。
【図７】図６に示されたＬＥＤの接続端子とリード線の通電線との接続部分を示す説明図。
【図８】本考案で採用可能な光源保持部の他の態様を示す断面図。
【図９】本考案で採用可能な核入れ用貝台の他の態様を示す右側面図。
【符号の説明】
【００８６】
１０：核入れ用貝台，１４：貝台用照明器具，１６：基台，１８：支柱，２０：開口器，２２：真珠貝，３２：上側貝受台，３４：下側貝受台，４２：水平回動軸，４４：湾曲ロッド，４６：位置決めネジ，４８：ワイヤ，５０：挟持固定具，５２：光源保持部，６２：ＬＥＤ
【図１】
0003137141.tif 000003
【図２】
0003137141.tif 000004
【図３】
0003137141.tif 000005
【図４】
0003137141.tif 000006
【図５】
0003137141.tif 000007
【図６】
0003137141.tif 000008
【図７】
0003137141.tif 000009
【図８】
0003137141.tif 000010
【図９】
0003137141.tif 000011